(57)【要約】【課題】  筐体の再使用が可能となって、部品の再利用化の促進、製造コストの低減化、資源の有効利用を図ることができ、また、設計変更に伴う製造コストの増加を抑えることができ、設計変更を容易に行うことができ、また、製造工程の容易化、使用箇所に適した材料の選択が可能な遊技機を提供する。【解決手段】  正面開口部(27)を有する筐体(1)と、正面開口部(27)を開閉自在に塞ぐために筐体(1)に取り付ける扉(2)と、筐体(1)内部に設置する遊技装置(9)とを備えた遊技機(S)において、筐体(1)は、少なくとも、直方体の骨組み状の構造を形成する骨組構造体(90)と、骨組構造体(90)に固定する面板(100)とから形成され、面板(100)は、筐体(1)内部の遊技装置(9)の各部品を固定するための締結部(102)を備えていることを特徴とする。【選択図】    図５
2006141666.tif 000002
【特許請求の範囲】
【請求項１】
正面側に開口する正面開口部を有する筐体と、
前記正面開口部を開閉自在に塞ぐために前記筐体に取り付ける扉と、
前記筐体内部に設置する遊技装置とを備えた遊技機において、
前記筐体は、少なくとも、直方体の骨組み状の構造を形成する骨組構造体と、前記骨組構造体に固定する面板とから形成され、
前記面板は、前記筐体内部の前記遊技装置の各部品を固定するための締結部を備えていることを特徴とする遊技機。
【請求項２】
前記遊技装置の部品として、交換することにより遊技内容を変更可能な交換ユニットを備え、
前記交換ユニットは、遊技装置を制御するための制御装置と、図柄の変動表示又は停止表示が可能な回転表示手段とを少なくとも備え、
前記締結部は、前記交換ユニットを固定することを特徴とする請求項１記載の遊技機。
【請求項３】
前記面板は、電磁波の影響を抑えるための電波ノイズ防止部を備えたことを特徴とする請求項１又は請求項２に記載の遊技機。
【請求項４】
前記骨組構造体は、遊技機の外側において前記面板を収納する収納凹部を備え、
前記面板は、前記収納凹部へ遊技機の外側から取り付けることで、前記収納凹部に固定可能としたことを特徴とする請求項１から３までのいずれか１項に記載の遊技機。
【発明の詳細な説明】
【技術分野】
【０００１】
この発明は、骨組構造体及び面板を有する筐体を備えた遊技機に関するものである。
【背景技術】
【０００２】
従来、この種の遊技機、具体的には、スロットマシンとしては、筐体に木質部材を使用していた。しかし、木材資源の枯渇や環境保護の観点、また、経済性や、取り扱いの便利性の観点により、木質部材から樹脂部材への変更が検討されている（例えば、特許文献１。）。
また、スロットマシンを置いた遊技ホールでは、新台入れ替えと称して、頻繁に遊技機を変更して、遊技内容を異なるものに変更している。その際、筐体や、ホッパーユニットと呼ばれる払いだ出し装置のような遊技内容の変更に影響の無い部品や、外側筐体は、そのまま使用して、制御装置や、回転リール等の遊技内容を司る部分だけを交換ユニットとして、かかる交換ユニットだけを新たな交換ユニットに変更する、いわゆる分離型のスロットマシンが使用されている（例えば、特許文献２。）。
【特許文献１】特開２０００−７０５４１号公報
【特許文献２】特開２００３−４７６８６号公報
【発明の開示】
【発明が解決しようとする課題】
【０００３】
しかし、上記した従来の遊技機では、使用後の遊技機の筐体も含めた部品を再利用しようとすると、樹脂製の筐体では、樹脂の性質によりねじ締め部が脆くなりやすく、ねじ締め部が破損すると、樹脂筐体は使用できなくなってしまうといった第１の問題点があった。
また、従来の木質部材からなる筐体の場合には、ねじ孔を設けることなく、適当な位置にドリルを使用して、ねじをねじ込んでいたため、ねじの固定位置を自由に設定できた。しかし、樹脂部材からなる筐体の場合には、木質部材のように適当な位置にねじ込むと樹脂部材が割れてしまうため、予め設定した所定の位置にねじ孔を設ける必要がある。このため、かかるねじ孔の設定位置に縛られてしまうため、部品形状の変更によるねじの固定位置の変更が難しくなる等、設計変更が容易では無いという第２の問題点があった。
【０００４】
また、樹脂製品で筐体を一体成形する場合に、ねじ孔となる締結部を作成すると、成形工程が複雑になって、製造が難しくなるという第３の問題点があった。
また、筐体は、寸法的に大きなものであるため、樹脂による一体成形をしようとすると、硬化させるのにも時間を要し、また、温度変化によるひずみが少ない性質のものを選択しなければならず、材料選択が難しいという第４の問題点があった。
また、上述したような交換ユニットを有する、いわゆる分離型のスロットマシンでは、遊技内容の変更に影響を及ぼさない筐体は、繰り返し、何度も使用することになるが、交換ユニットを樹脂製の筐体に何度も、ねじ等で固定しようとすると、繰り返し、ねじ締めを行うこととなって、当該ねじ止め部が、脆くなって破損し易く、筐体全体が使用できなくなるといった第５の問題点があった。
【０００５】
また、従来の遊技機では、いわゆる電波ゴト対策として、外部からの電磁波の影響を抑えるためのアルミシート材等の電波ノイズ防止部材を、筐体が完成した後、筐体の内側に貼り付けていた。完成した箱状の筐体内面にアルミシート材を貼付する作業は、容易ではないという第６の問題点があった。
なお、上記の遊技機は、遊技媒体として、円板状の遊技メダルを使用するスロットマシンであるが、遊技内容は、スロットマシンと同様に、周囲に図柄を配置した回転リールを回転表示させるものであるが、遊技媒体として、球状のパチンコ玉を使用する、いわゆるパロットにおいても、樹脂製の筐体を使用する場合には、上述したものと同様の問題点を有するものである。
【０００６】
そこで、各請求項にそれぞれ記載された各発明は、上記した従来の技術の有する問題点に鑑みてなされたものであり、その目的とするところは、次の点にある。
（請求項１）  すなわち、請求項１記載の発明は、上記した従来の技術の有する第１から第４までの問題点に鑑みてなされたものであり、その目的とするところは、筐体の再使用が可能となって、部品の再利用化の促進、製造コストの低減化、資源の有効利用を図ることができ、また、設計変更に伴う製造コストの増加を抑えることができ、設計変更を容易に行うことができ、また、製造工程の容易化、使用箇所に適した材料の選択が可能な遊技機を提供しようとするものである。
【０００７】
（請求項２）  請求項２記載の発明は、上記した請求項１記載の発明の目的に加え、次の点を目的とする。すなわち、請求項２記載の発明は、上記した従来の技術の有する第５の問題点に鑑みてなされたものであり、その目的とするところは、分離型の遊技機において、更に、製造コストの低減化、資源の有効利用を図ることができるようにした遊技機を提供しようとするものである。
（請求項３）  請求項３記載の発明は、上記した請求項１又は請求項２記載の発明の目的に加え、次の点を目的とする。すなわち、請求項３記載の発明は、上記した従来の技術の有する第６の問題点に鑑みてなされたものであり、その目的とするところは、外部から強力な電磁波等を照射して、筐体内部の遊技装置の動作不良を故意に発生させるようなゴト行為の発生を抑えることができるとともに、組立工程を容易にすることができるようにした遊技機を提供しようとするものである。
【０００８】
（請求項４）  請求項４記載の発明は、上記した請求項１乃至３のいずれか１項に記載の発明の目的に加え、次の点を目的とする。すなわち、請求項４記載の発明は、面板の交換作業が容易な遊技機を提供しようとするものである。
【課題を解決するための手段】
【０００９】
（請求項１）  請求項１記載の発明は、次の点を特徴とする。すなわち、正面側に開口する正面開口部(27)を有する筐体(1)と、前記正面開口部(27)を開閉自在に塞ぐために前記筐体(1)に取り付ける扉(2)と、前記筐体(1)内部に設置する遊技装置(9)とを備えた遊技機(S)において、前記筐体(1)は、少なくとも、直方体の骨組み状の構造を形成する骨組構造体(90)と、前記骨組構造体(90)に固定する面板(100)とから形成され、前記面板(100)は、前記筐体(1)内部の前記遊技装置(9)の各部品を固定するための締結部(102)を備えていることを特徴とする。
また、ここで、上述した「遊技装置(9)」は、遊技機(S)の筐体(1)内部に固定して、遊技を行うための遊技装置(9)であれば良いものである。この遊技装置(9)には、制御装置(73)、リールユニット(10)、制御装置(73)及びリールユニット(10)が一体となった交換ユニット(40)、交換ユニット(40)に上扉(21)を固定した扉一体型交換ユニット(41)、払い出し装置(5)、電源装置(8)等を含むものである。また、この遊技装置(9)には、その他の筐体(1)内部に固定して、遊技を行うために使用する装置であれば、他の部品装置も含む。
【００１０】
（作用）  本発明は、面板(100)が、筐体(1)内部の遊技装置(9)の各部品を固定するための締結部(102)を備えているため、締結部(102)が破損しても、破損した面板(100)だけを交換すれば、その他の骨組構造体(90)や、その他の面板(100)は、そのまま、使用することができる。これにより、一部の締結部(102)が破損したことにより、筐体(1)全体を新たな筐体(1)に取り換える必要がなく、筐体の部分的な再使用が可能となって、部品の再利用化を促進することができて、製造コストの低減化、資源の有効利用を図ることができる。
面板(100)だけを、設計変更に対応した新たな面板(100)に取り換えることにより、遊技装置(9)の各部品の形状変更に伴って締結部(102)の位置が異なってしまうような設計変更に対応することができる。これにより、設計変更に伴う製造コストの増加を抑えることができ、設計変更を容易に行うことが可能となる。
【００１１】
また、本発明では、筐体(1)が、骨組構造体(90)と、締結部(102)を有する面板(100)とを備えているため、それぞれ別個に成形することができる。これにより、締結部(102)を有する筐体(1)全体を一体として成形するようなものと比較して、成形工程を単純なものにすることができる。また、それぞれ別個に成形可能であるため、硬化時間を少なくすることができ、ひずみも抑えることができて、結果として、製造工程の容易化が得られる。
そして、上述したように筐体(1)が、骨組構造体(90)と面板(100)とを備えているため、各部材に別の材料を使用することが可能となる。例えば、用途に適した硬度等の樹脂や金属や、カーボン等の材料を適宜選択して使用することができる。また、使用箇所に応じて用途に適した強度の材料を選択でき、軽量化も図ることができる。
【００１２】
（請求項２）  請求項２記載の発明は、上記した請求項１記載の発明の特徴点に加え、次の点を特徴とする。すなわち、前記遊技装置(9)の部品として、交換することにより遊技内容を変更可能な交換ユニット(40)を備え、前記交換ユニット(40)は、遊技装置(9)を制御するための制御装置(73)と、図柄(19)の変動表示又は停止表示が可能な回転表示手段とを少なくとも備え、前記締結部(102)は、前記交換ユニット(40)を固定することを特徴とする。
なお、ここで、上述した「交換ユニット(40)」は、実施の形態に示すような略四角枠状の支持体(6)にリールユニット(10)及び制御装置(73)を固定したものを含む。また、この交換ユニット(40)には、更に、上扉(21)を開閉自在に固定した扉一体型交換ユニット(41)も含むものである。
【００１３】
ここで、「回転表示手段」は、回転リール(3)を含むものである。また、ここで、「図柄の変動表示」とは、回転リール(3)を回転させて、図柄が回転移動中の状態を意味し、「図柄の停止表示」とは、回転リール(3)の回転を停止させて、図柄を図柄表示窓(23)内に停止させた状態を意味する。
（作用）  本発明は、交換ユニットだけを、新たな遊技内容の交換ユニット(40)に取り換えるような、いわゆる分離型の遊技機であっても、交換ユニット(40)を固定する締結部(102)の繰り返し使用による当該締結部(102)の破損に対しても、当該締結部(102)を有する面板(100)の交換だけで、筐体(1)全体を取り換える必要がなく、対応することができる。これにより、分離型の遊技機において、更に、製造コストの低減化、資源の有効利用を図ることができる。
【００１４】
（請求項３）  請求項３記載の発明は、上記した請求項１又は請求項２記載の発明の特徴点に加え、次の点を特徴とする。すなわち、前記面板(100)は、電磁波の影響を抑えるための電波ノイズ防止部(101)を備えたことを特徴とする。
なお、ここで、「電波ノイズ防止部(101)」とは、筐体(1)外部からの電磁波を吸収又は反射させることにより、筐体(1)内部への電磁波の悪影響を防止し、また、筐体(1)内部の遊技装置(9)から発生する電磁波を吸収又は反射させることにより、筐体(1)外部への遊技者や、隣接する遊技機(S)等への電磁波の悪影響を防止することができるものである。この電波ノイズ防止部(101)は、具体的には、アルミシート材や、磁性金属粉末とゴムの二相構造からなる電磁波吸収シートや、防電性塗料等を含む。
【００１５】
（作用）  本発明は、電波ノイズ防止部(101)を備えているため、外部からの電磁波等による遊技装置(9)への悪影響を遮断することができる。これにより、いわゆる電波ゴトと呼ばれる、外部から強力な電磁波を照射して、筐体(1)内部の遊技装置(9)の動作不良を故意に発生させるようなゴト行為の発生を抑えることができる。
更に、面板(100)に、電波ノイズ防止部(101)を備えているため、面板(100)を骨組構造体(90)に取り付けるだけで、電波ゴト対策を終了させることができる。このため、筐体(1)を完成させた後、後工程により、箱状の筐体(1)内面に電波ノイズ防止部材であるシート等を貼付する場合と比較して、面状の面板(100)に電波ノイズ防止部(101)を形成するのは容易であり、組立工程を容易なものにすることができる。
【００１６】
（請求項４）  請求項４記載の発明は、上記した請求項１乃至３のいずれか１項に記載の発明の特徴点に加え、次の点を特徴とする。すなわち、前記骨組構造体(90)は、遊技機(S)の外側において前記面板(100)を収納する収納凹部(91)を備え、前記面板(100)は、前記収納凹部(91)へ遊技機(S)の外側から取り付けることで、前記収納凹部(91)に固定可能としたことを特徴とする。
なお、ここで、「固定可能」とは、面板(100)を収納しただけで凹部と凸部とが嵌合して固定されるようなものや、面板(100)を収納すると仮固定状態となって、その後でねじ等により固定するようなものを含む。
【００１７】
また、「収納する」には、骨組構造体(90)の外表面と骨組構造体(90)の外表面とが面一になるようなものを含みものである。これにより、運搬や保管の際に嵩張ることなどを防止できる。
（作用）  本発明は、面板(100)を、骨組構造体(90)の外側に収納する収納凹部(91)に、遊技機(S)の外部から取り付け、或いは取り外すことができる。そして、面板(100)を収納凹部(91)に取り付けることで、筐体(1)が形成される。このため、収納凹部(91)に面板(100)を取り付けることで、締結部(102)の位置決めができて、固定作業を容易なものにすることができる。これにより、面板(100)の交換作業を容易なものにすることができる。
【００１８】
また、面板(100)を収納凹部(91)に嵌め込むため、面板(100)の骨組構造体(90)への固定を確実なものにすることができる。すなわち、面板(100)は、収納凹部(91)内部に収納された状態となるため、収納した後、面板(100)の位置がずれるようなことを回避することができて、面板(100)を骨組構造体(90)へ固定した後の保持力を強固なものにすることができる。
【発明の効果】
【００１９】
本発明は、以上のように構成されているので、以下に記載されるような効果を奏する。
（請求項１）  請求項１記載の発明によれば、次のような効果を奏する。すなわち、請求項１記載の発明によれば、筐体の再使用が可能となって、部品の再利用化の促進、製造コストの低減化、資源の有効利用を図ることができ、また、設計変更に伴う製造コストの増加を抑えることができ、設計変更を容易に行うことができ、また、製造工程の容易化、使用箇所に適した材料の選択が可能な遊技機を提供することができる。
（請求項２）  請求項２記載の発明によれば、上記した請求項１記載の発明の効果に加え、次のような効果を奏する。すなわち、請求項２記載の発明によれば、分離型の遊技機において、更に、製造コストの低減化、資源の有効利用を図ることができるようにした遊技機を提供することができる。
【００２０】
（請求項３）  請求項３記載の発明によれば、上記した請求項１又は請求項２記載の発明の効果に加え、次のような効果を奏する。すなわち、請求項３記載の発明によれば、外部から強力な電磁波等を照射して、筐体内部の遊技装置の動作不良を故意に発生させるようなゴト行為の発生を抑えることができるとともに、組立工程を容易にすることができるようにした遊技機を提供することができる。
（請求項４）  請求項４記載の発明によれば、上記した請求項１乃至３のいずれか１項に記載の発明の効果に加え、次のような効果を奏する。すなわち、請求項４記載の発明によれば、面板の交換作業が容易な遊技機を提供することができる。
【発明を実施するための最良の形態】
【００２１】
（図面の説明）  図１乃至図８は、本発明の実施の形態を示すものである。図１は骨組構造体の外観斜視図、図２は骨組構造体及び面板の一部の外観斜視図、図３は面板の突出係合部を被係合孔に係合させた状態の断面図、図４は突出係合部の外観斜視図、図５は面板を骨組構造体に係合させた状態の横断面図、図６は遊技機の外観正面図、図７は上扉、下扉、交換ユニット及び筐体を分離した状態の外観斜視図、図８は上扉、下扉及び筐体を分離した状態の外観斜視図をそれぞれ示すものである。
（遊技機S）  本実施の形態に係る遊技機Sは、具体的には、スロットマシンであって、大きく分けて、正面側に開口する正面開口部27を有する筐体1と、この筐体1内部に着脱自在に固定するとともに、筐体1から分離して交換可能な扉一体型交換ユニット41とを備えている。そして、遊技機Sの正面側には、筐体1の正面開口部27を開閉可能に塞ぐための扉2が形成されている。そして、筐体1の正面開口部27は、筐体1の上部であって、中板7より上部に開口する開口上部25と、筐体1の下部であって、中板7より下部に開口する開口下部26とを備えている。そして、前記扉2は、筐体1の開口上部25を開閉可能に塞ぐための上扉21と、筐体1の開口下部26を開閉可能に塞ぐための下扉22とを備えている。
【００２２】
前記扉一体型交換ユニット41は、筐体1の正面開口部27の上部の開口上部25を開閉自在に塞ぐ上扉21と、枠状の支持体6にリールユニット10及び制御装置73を固定した交換ユニット40とを備えている。このリールユニット60は、複数の図柄19が表示された回転リール3及びこの回転リール3を回転表示させるためのステッピングモーターからなる駆動手段を有するものである。そして、交換ユニット40の手前側には、上扉21が開閉自在に取り付けられてある。そして、この交換ユニット40及び上扉21により、両者が一体となった扉一体型交換ユニット41を形成している。前記交換ユニット40は、中板7上面に固定するとともに上扉21と一緒に筐体1から分離して交換可能なものである。すなわち、遊技ホールにおける通常のいわゆる新台入れ替えの際には、交換ユニット40及び上扉21が一体となった扉一体型交換ユニット41毎に入れ替えることができるものである。もちろん、新台入れ替えの際、上扉21は、取り換えずに、そのまま再度使用して、交換ユニット40だけを交換することもできる。
【００２３】
前記筐体1の内部には、遊技を行うための種々の遊技装置9が固定されている。この遊技装置9は、遊技機Sの筐体1内部に固定して、遊技を行うための装置であって、具体的には、制御装置73、リールユニット10、制御装置73及びリールユニット10が一体となった交換ユニット40、交換ユニット40に上扉21を固定した扉一体型交換ユニット41、払い出し装置5、電源装置8等を含む。また、この遊技装置9には、その他の筐体1内部に固定して、遊技を行うために使用する他の部品装置も含まれる。
なお、ここで、本明細書中の「前方向」や「手前方向」とは、交換作業者（或いは遊技者）が、遊技機Sの正面側の前に遊技機Sの方に顔を向けて座って、或いは、立っているような場合のかかる交換作業者（或いは遊技者）から見た場合の奥から手前への方向を意味する。したがって、前方向や手前方向とは、遊技機Sの奥から正面へ向かう方向を意味する。また、「後方向」とは、交換作業者（或いは遊技者）が、遊技機Sの正面側に遊技機Sの方を向いて位置しているような場合のかかる交換作業者（或いは遊技者）から見たときの手前から奥への方向を意味する。したがって、後方向とは、遊技機Sの正面から奥（後ろ）へ向かう方向を意味する。また、本明細書における「左方向」や「右方向」等の左右方向も、かかる遊技機Sの前面の方を向いて位置している者から見た場合の右方向や、左方向を意味する。
【００２４】
（筐体1）  前記筐体1は、全体形状が略箱状であって、底面に配置した底板部75と、この底板部75の左右端縁から上方に向かって設けられた左右の側板部76と、この側板部76の上端間に渡した天板部77と、左右の側板部76の後側の端面間に渡して、裏側を塞ぐ奥板部78とからなる正面側に開口するものである。すなわち、底板部75と、その左右の側板部76と、天板部77とにより、四角枠状の四角枠部材を形成し、この四角枠部材の正面側に正面開口部27が開口し、四角枠部材の奥側を奥板部78が塞いでいるものである。そして、この筐体1の高さ方向略中央部には、二つの側板部76の間に水平方向に中板7が渡してある。そして、この中板7は、交換ユニット40を筐体1の奥側内部に案内するためのガイドを中板7上面の左右に形成している。そして、底板部75には、各部品に電気を供給するための電源装置8と、投入された遊技媒体を貯留するとともに払い出し皿12に遊技媒体を払い出し可能なホッパーユニットとも呼ばれる払い出し装置5とが固定されている。
【００２５】
ここで、電源装置8は、開口下部26の底板部75の上面に取り付けられており、遊技店側が種々の設定を行うためのスイッチ等の設定操作部を有している。
前記電源装置8及び払い出し装置5は、交換ユニット40の交換に際し、必ずしも交換する必要のないものであり、交換時には設置されたままにしておけるようになっているものである。
また、左側の側板部76の下部には、前記下扉22を係合させ、回転自在に支持するための下扉用被係合部51が、上下方向に間隔をおいて二つ設けられている。
更に、筐体1について詳細に説明する。筐体1は、四角枠状の骨組構造体90と、骨組構造体90に固定する面状の面板100とを備えている。そして、面板100は、筐体1内部の遊技装置9の各部品を固定するための締結部102を備えている。
【００２６】
（骨組構造体90）  前記骨組構造体90は、図１に示すように、底板部75、側板部76、天板部77及び奥板部78のそれぞれに四角枠状の樹脂製のフレーム枠を組み合わせたものであって、直方体の骨組み状の構造体からなるものである。この骨組構造体90は、面板100により閉塞するための中抜きされた部分を有する骨組み構造となっている。そして、側板部76及び奥板部78の高さ方向の略中央であって、中板7の位置には、横方向に渡した横枠93が形成されている。そして、側板部76の中央の左右の横枠93には、筐体1を手で持ちあげる際に、手の指を差し込み可能な取っ手92が形成されている。そして、骨組構造体90のコーナーには、面板100の突出係合部110を係合するための被係合孔120が、表裏に貫通するように形成されている。被係合孔120の筐体1内部側の孔周縁には、図３に示すように、筐体1内部側に向かって突出する抜け止め部121が形成されている。この抜け止め部121は、突出係合部110の矢羽根状先端部112の裏側が密着するように両者が整合するような形状に形成されている。
【００２７】
前記骨組構造体90は、遊技機Sの外側に面板100を収納する収納凹部91を備えている。面板100は、収納凹部91へ遊技機Sの外側から取り付けるように形成されている。この収納凹部91は、骨組構造体90の外面のうち、遊技機Sの外側に臨む外面に、四角形の面板100の寸法形状に整合するように筐体1の内側に向かって凹状に凹んだ部分である。
（面板100）  前記面板100は、骨組構造体90の中抜きされた部分を塞ぐために骨組構造体90に固定する面状の部材である。この面板100は、骨組構造体90の収納凹部91に当接して、収納凹部91内部に収納される四角枠状の周辺枠状部105と、この周辺枠状部105の四角枠の内面であって、骨組構造体90の中抜きされた部分を塞ぐ面状の閉塞部103とを備えている。この閉塞部103は、図５に示すように、周辺枠状部105よりも、面板100を骨組構造体90に取り付けた状態において、筐体1の内側に向かって入りこむように段差状に形成されている。
【００２８】
前記周辺枠状部105の筐体1内側の面には、骨組構造体90の被係合孔120に係合して、面板100を骨組構造体90に固定するために筐体1内側に向かって突出する突出係合部110が形成されている。この突出係合部110は、骨組構造体90の被係合孔120と整合するような位置に形成されている。
前記面板100の前記閉塞部103は、筐体1内部の遊技装置9の各部品を固定するための締結部102を備えている。この締結部102は、図５に示すように、面板100を骨組構造体90に取り付けた状態において、閉塞部103の外面のうち、遊技機Sの外側に臨む閉塞部103の外面から、遊技機Sの外側に向かって突出するように形成されている。
【００２９】
なお、この締結部102の閉塞部103からの高さは、周辺枠状部105の外側の面位置に設定されている。これは、遊技機Sを側方に複数台、並べるような場合に、締結部102が骨組構造体90や周辺枠状部105から外側に向かって突出して、当該遊技機Sに隣接する部材と骨組構造体90との間の隙間の発生を防止しているものである。締結部102の外面の中央には、円形の窪みが形成されてあり、その窪みから、ワンウェイねじ104を、ねじ込んで、交換ユニット40等の遊技装置9を筐体1に固定することができるものである。この締結部102の形成位置は、筐体1内部に取り付ける遊技装置9の寸法形状等により、予め設定されるものである。また、締結部102にねじ込むワンウェイねじ104は、遊技装置9の外部からねじ込み可能に形成されているが、締結部102の筐体1内側の面にも、窪みが形成され、筐体1の内側の遊技装置9側からワンウェイねじ104等の締結部材をねじ込んでも良い。また、遊技装置9と締結部102との締結部材として、ワンウェイねじ104を使用しているが、特にこれに限定されるものではなく、通常のねじや、ボルト及びナット等の他の締結部材を使用しても良い。
【００３０】
前記面板100の閉塞部103の遊技機S内面側の面には、電波ノイズ防止部101が形成されている。この電波ノイズ防止部101は、具体的には、外部からの電磁波の影響を抑えるためのアルミシート材である。これにより、外部から強力な電磁波を照射して、制御装置73内部のＣＰＵ等の電子装置の誤作動を誘因させるような、いわゆる電波ゴトを抑えることができるものである。なお、この電波ノイズ防止部101は、上述したアルミシート材に限定されるものではなく、同様の機能を奏する部材であれば、他の材料を使用しても良い。例えば、電波ノイズ防止部101は、防電性塗料を塗布したものでも良い。
（突出係合部110）  前記突出係合部110は、図３及び図４に示すように、面板100の閉塞部103の遊技機S内部側の面から、遊技機Sの内部側に向かって延びる突出本体部114と、この突出本体部114の先端側で矢羽根状に形成された矢羽根状先端部112とを備えている。突出本体部114の途中には、突出本体部114の表面からくびれて、突出本体部114の断面積が減少しているくびれ部111が形成されている。そして、矢羽根状先端部112は、突出本体部114の先端から側方に向かって、互いに反対方向に折り返されて全体として、矢羽根状に形成されている。この矢羽根状先端部112の先端側の中央には、先端側から基端側に向かって溝状のスリットからなるスリット部113が形成されている。この矢羽根状先端部112は、突出係合部110を被係合孔120に押し込むと、矢羽根状に開いた部分が、閉じるように弾性変形するとともに、スリット部113の空間に向かって中心軸側に移動するように弾性変形して、被係合孔120に押し込むことができる。そして、矢羽根状先端部112が、被係合孔120の筐体1内面側から抜け出ると、弾性変形していた矢羽根状先端部112が、元の形状に矢羽根状に開いて、両者は係合状態となるものである。この突出係合部110は、一旦、被係合孔120に差し込んで係合状態になると、開いた矢羽根状先端部112が、被係合孔120の抜け止め部121と密着することにより、突出係合部110自体を破損させることなく、両者の係合状態を解除することはできないように形成されている。両者を係合状態にした後、骨組構造体90から面板100を取り外す際には、突出係合部110を破損させる必要がある。具体的には、筐体1の内部からペンチ等を使用して、突出係合部110の矢羽根状先端部112を掴んで９０度回転させることにより、くびれ部111を境として、突出係合部110を捻り切る。これにより、矢羽根状先端部112が、突出係合部110から離れて、突出係合部110を被係合孔120から抜くことができ、面板100を骨組構造体90から取り外すことができる。したがって、不正操作により、面板100を骨組構造体90から取り外した際には、突出係合部110が破損されてしまい、再度の取り付けは、不可能となり、不正行為の抑止力としての効果を奏する。
【００３１】
（扉一体型交換ユニット41）  前記扉一体型交換ユニット41は、上扉21及び交換ユニット40からなるものである。この扉一体型交換ユニット41は、交換ユニット40の支持体6の上扉用被係合部53に、上扉21の左側の上扉用係合部52を回転自在に係合させている。そして、扉一体型交換ユニット41は、交換ユニット40の支持体6の扉用係止片69に、上扉21の右側のロック可動片31を係止させている。これにより、上扉21を交換ユニット40の支持体6の前面側に固定しているものである。
前記扉一体型交換ユニット41は、遊技ホールにおける、いわゆる新台入れ替えの際、遊技内容を変更するために筐体1に対して交換可能に形成されているものである。この扉一体型交換ユニット41は、交換ユニット40と、この交換ユニット40の手前側に開閉可能に取り付けられた上扉21とから形成されているものである。この交換ユニット40及び上扉21は、両者が一体となった状態で、筐体1から取り外し、また、取り付けることができるように形成されている。なお、交換ユニット40から上扉21を取り外せば、いわゆる新台入れ替えの際、上扉21はそのまま交換せずに、交換ユニット40だけを交換することができる。このように、交換ユニット40だけの取り付けや、取り外しも可能となるように形成されている。
【００３２】
（交換ユニット40）  前記交換ユニット40は、四角枠状の支持体6に、リールユニット10と、当該遊技機Sの各部品を制御するための制御装置73とを固定しているものである。前記交換ユニット40は、筐体1に着脱自在に取り付けられているものである。
前記リールユニット10は、支持体6に固定されているものである。このリールユニット10は、複数の図柄19が表示された回転リール3及びこの回転リール3を回転表示させるための駆動手段（図示せず）を有する。
ここで、回転リール3は、周囲に複数の図柄を表示した３個の回転リール3からなるものである。そして、駆動手段は、特に図示しないが、それぞれの回転リール3を回転させるための駆動モータを有している。そして、制御装置73は、回転リール3の回転等を制御するための主制御装置が透明樹脂からなる四角箱状の基板ケースの内部に収納されているものである。
【００３３】
前記支持体6の正面左側の開口縁には、上扉21を回転自在に係合するための上扉用被係合部53が、上下方向に間隔をおいて二つ設けられている。この上扉用被係合部53は、具体的には、上方に向かって突出する円柱棒状を有するものであり、上扉用係合部52は、かかる円柱棒状の上扉用被係合部53に上方から回転自在に被さる円筒状のものを有しているものである。
更に、支持体6の正面右側の縦方向の開口縁には、上扉21を閉めた際、上扉21のロック可動片31をロックするための扉用係止片69が、上下方向に間隔をおいて二つ設けられている。このように、支持体6の左側の上扉用被係合部53と、上扉21の上扉用係合部52とにより、上扉21が支持体6に回転可能に軸支され、支持体6の扉用係止片69と、上扉21のロック可動片31とにより、両者を一体のものに固定することができる。
【００３４】
前記交換ユニット40の支持体6の前面側の縦枠の左右には、後方に向かって鉤状に延びるクリップ用係止片56が形成されている。このクリップ用係止片56は、筐体1の左右の側板部76の内面側に固定されているキャッチクリップ57により、交換ユニット40を筐体1に固定することができるものである。このキャッチクリップ57及びクリップ用係止片56により、交換ユニット40を筐体1に固定するための固定装置55を形成しているものである。
なお、本実施の形態では、キャッチクリップ57及びクリップ用係止片56からなる固定装置55を設けているが、このキャッチクリップ57及びクリップ用係止片56からなる固定装置55を設けずに、面板100の外部から締結部102にねじ込むワンウェイねじ104等の締結具だけで固定するようにしても良いものである。
【００３５】
（上扉21）  前記上扉21は、筐体1の開口上部25の開閉を行うための扉2であって、交換ユニット40の支持体6に回転自在かつロック可能に形成されている板状の扉2である。そして、上扉21は、樹脂板からなる表示窓28が形成されている。遊技者は、回転リール3の図柄19を、表示窓28の略中央に設けた図柄表示窓23を介して、正面側から見ることができるように形成されている。そして、上扉21の周囲には、アーチ状のランプ等を有する表示装置86が設けられている。
更に、上扉21の左側の裏面には、上扉用係合部52が、上下方向に間隔をおいて二つ設けられている。この上扉用係合部52は、交換ユニット40の正面側の左側の上扉用被係合部53に回転自在に係合させることができるものである。これにより、交換ユニット40の左端に上扉21を回転自在に係合させることができて、開閉自在とするものである。
【００３６】
そして、上扉21の正面から向かって右側の裏面には、扉ロック機構が設けられている。この扉ロック機構は、上扉21の背面側から奥側に向かって突出する２本のロック可動片31を備えているものである。このロック可動片31は、交換ユニット40の支持体6の前面側の右側の縦枠に上下方向に２カ所設けた扉用係止片69に係合することができるものである。
（下扉22）  前記下扉22は、筐体1の開口下部26を開閉自在に塞ぐための、上扉21よりも幅厚の扉であり、筐体1の側板部76に回転自在かつロック可能に形成されているものである。
前記下扉22の正面側の上部及び上面は、遊技機Sを作動させるための操作部18となっており、下扉22の上面は、閉扉時においては、上扉21よりも前側に突出するようになっている。すなわち、この下扉22は、上扉21の下部の前側を、前側から覆うような状態で、ロックされ、下扉22の上部は、上扉21の下部よりも、手前側に配置するように形成されている。したがって、上扉21を閉じた状態で、下扉22を閉じた場合、下扉22を開けることなく、上扉21だけを開くことはできないように形成されている。このため、上扉21を開放する際には、必ず、下扉22の開放が条件となるものである。これにより、制御装置73や、回転リール3等の開口上部25に配置されている部品が、ゴト行為により、操作されるのを抑えることができるものである。
【００３７】
また、下扉22の正面側の下部には払い出された遊技媒体を溜めておくための凹状の払い出し皿12が形成されており、この払い出し皿12の上部には、払い出し皿12へ遊技媒体を払い出すための払い出し口74が形成され、下扉22の正面側の略中央部には、遊技内容その他の案内表示をするための前パネル85が嵌め込まれている。
前記操作部18としては、下扉22の上面右端には媒体投入口71と、上面左側に設けられたベットスイッチ17と、正面側にはレバー式のスタートスイッチ15と、ボタン式のストップスイッチ16と、鍵穴87とが設けられている。なお、ベットスイッチ17とは、遊技媒体である貯留メダルをメダル投入に代えるためのものであり、スタートスイッチ15及びストップスイッチ16は、回転リール3の回転を開始及び停止させるためのものである。そして、鍵穴87は、下扉22を解錠するためのものであり、この穴に所定の鍵を差し込んで回すと、下扉22の扉ロック機構のロックが解除されるものである。
【００３８】
更に、下扉22の裏面側には、前記媒体投入口71から投入された遊技媒体を誘導しながら遊技媒体の正偽を判断するための媒体セレクター4が設けられている。
また、下扉22の左側の裏面には、筐体1の下扉用被係合部51と係合可能な下扉用係合部50が上下方向に間隔をおいて二つ設けられている。そして、下扉22の右側の裏面には、筐体1の下扉22用の扉用係止片69にロック可能なアンカー状の下扉22用のロック可動片31を有する扉ロック機構が設けられている。前記鍵穴87により、下扉22を開いた後、上扉21の下端から延びるレバーを操作することにより、上扉21の扉ロック機構であるロック可動片31を可動させて、上扉21用の扉用係止片69から外し、上扉21を開けることができるように形成されている。
【００３９】
（作用）  面板100が、筐体1内部の遊技装置9の各部品を固定するための締結部102を備えているため、締結部102が破損しても、破損した締結部102を有する面板100だけを交換すれば、その他の骨組構造体90や、その他の面板100は、取り換えることなく、そのまま、使用することができる。これにより、一部の締結部102が破損したことにより、筐体1全体を新たな筐体1に取り換える必要がなく、筐体の再使用が可能となって、製造コストの低減化、資源の有効利用を図ることができる。特に、面板100を樹脂から形成したような場合は、ねじ部は、大変、破損しやすくなるため、効果が大きいものとなる。
また、面板100だけを、設計変更に対応した新たな面板100に取り換えることにより、遊技装置9の各部品の形状変更に伴って締結部102の位置が異なってしまうような設計変更に対応することができる。これにより、設計変更に伴う製造コストの増加を抑えることができ、設計変更を容易に行うことが可能となる。
【００４０】
そして、交換ユニットや、扉一体型交換ユニット41だけを、新たな遊技内容の交換ユニット40や、扉一体型交換ユニット41に取り換えるような、いわゆる分離型の遊技機であっても、交換ユニット40や扉一体型交換ユニット41を固定する締結部102の繰り返し使用による当該締結部102の破損に対して、当該締結部102を有する面板100の交換だけで、筐体1全体を取り換える必要がなく、対応することができる。これにより、分離型の遊技機において、更に、製造コストの低減化、資源の有効利用を図ることができる。
そして、面板100に電波ノイズ防止部101を備えているため、外部からの電磁波等による遊技装置9への悪影響を遮断することができる。これにより、いわゆる電波ゴトと呼ばれる、外部から強力な電磁波を照射して、筐体1内部の遊技装置9の動作不良を故意に発生させるようなゴト行為の発生を抑えることができる。
【００４１】
更に、面板100に、電波ノイズ防止部101を備えているため、面板100を骨組構造体90に取り付けるだけで、電波ゴト対策を終了させることができる。このため、筐体1を完成させた後、後工程により、箱状の筐体1内面に電波ノイズ防止部材であるシート等を貼付する場合と比較して、面状の面板100に電波ノイズ防止部101を形成するのは容易であり、組立工程を容易なものにすることができる。
そして、面板100を、骨組構造体90の外側に収納する収納凹部91に、外部から取り付け、或いは取り外すことができる。これにより、面板100の交換作業を容易なものにすることができる。
【００４２】
また、上述した実施の形態では、遊技媒体として円板状の遊技メダルを使用しているスロットマシンであるが、遊技媒体として、球状の遊技球を使用する、いわゆるパロットに適用することもできる。
【図面の簡単な説明】
【００４３】
【図１】本発明の実施の形態であって、骨組構造体を示す外観斜視図である。
【図２】本発明の実施の形態であって、骨組構造体及び面板の一部を示す外観斜視図である。
【図３】本発明の実施の形態であって、面板の突出係合部を被係合孔に係合させた状態を示す断面図である。
【図４】本発明の実施の形態であって、突出係合部を示す外観斜視図である。
【図５】本発明の実施の形態であって、面板を骨組構造体に係合させた状態を示す横断面図である。
【図６】本発明の実施の形態であって、遊技機を示す外観正面図である。
【図７】本発明の実施の形態であって、上扉、下扉、交換ユニット及び筐体を分離した状態を示す外観斜視図である。
【図８】本発明の実施の形態であって、上扉、下扉及び筐体を分離した状態を示す外観斜視図である。
【符号の説明】
【００４４】
S  遊技機                              1  筐体
2  扉                                  3  回転リール
4  媒体セレクター                      5  払い出し装置
6  支持体                              7  中板
8  電源装置                            9  遊技装置
10  リールユニット                      12  払い出し皿
15  スタートスイッチ                    16  ストップスイッチ
17  ベットスイッチ                      18  操作部
19  図柄                                21  上扉
22  下扉                                23  図柄表示窓
25  開口上部                            26  開口下部
27  正面開口部                          28  表示窓
31  ロック可動片                        40  交換ユニット
41  扉一体型交換ユニット                50  下扉用係合部
51  下扉用被係合部                      52  上扉用係合部
53  上扉用被係合部                      55  固定装置
56  クリップ用係止片                    57  キャッチクリップ
69  扉用係止片                          71  媒体投入口
73  制御装置                            74  払い出し口
75  底板部                              76  側板部
77  天板部                              78  奥板部
85  前パネル                            86  表示装置
87  鍵穴                                90  骨組構造体
91  収納凹部                            92  取っ手
93  横枠                                100  面板
101  電波ノイズ防止部                  102  締結部
103  閉塞部                            105  周辺枠状部
104  ワンウェイねじ                    110  突出係合部
111  くびれ部                          112  矢羽根状先端部
113  スリット部                        114  突出本体部
120  被係合孔                          121  抜け止め部
【図１】
2006141666.tif 000003
【図２】
2006141666.tif 000004
【図３】
2006141666.tif 000005
【図４】
2006141666.tif 000006
【図５】
2006141666.tif 000007
【図６】
2006141666.tif 000008
【図７】
2006141666.tif 000009
【図８】
2006141666.tif 000010